(57)【特許請求の範囲】
【請求項１】
収容ケースと表示装置とを含んだパフォーマンス表示装置であって、
前記表示装置は表示スクリーンとプロセッサとを含んでおり、
モードスイッチによって操作可能であり、
前記プロセッサは、パフォーマンスデータを処理し、前記表示スクリーン上に情報を表示させ、前記モードスイッチが操作されると表示モードを変化させるように構成されており、
前記モードスイッチは、前記表示装置と前記収容ケースとの間の相対的な枢動によって操作されるものであり、前記表示装置と前記収容ケースは、その周囲でモードを変更するように枢動させるヒンジ軸を協調して形成する相補的な形状であることを特徴とするパフォーマンス表示装置。
【請求項２】
前記収容ケースと前記表示装置は、該表示装置と前記収容ケースとの間の相対的な枢動の最大許容幅を制限するための制動部も形成するように相補的な形状であることを特徴とする請求項１記載の表示装置。
【請求項３】
前記表示装置は、前記収容ケースに着脱式に取り付けられており、
前記収容ケースと前記表示装置はそれぞれガイド構造部を含んでおり、
前記収容ケースと前記表示装置の前記ガイド構造部は、前記ヒンジ軸に対して直角、又は、ほぼ直角である軸に沿って、前記収容ケースからの前記表示装置の取り外しを誘導できるように、互いに協調する構成であることを特徴とする請求項１または２記載の表示装置。
【請求項４】
前記収容ケースおよび前記表示装置の前記ガイド構造部は、相補的な形状であり、
前記収容ケースから取り外すとき、または前記収容ケースと係合させるときに、前記ヒンジ軸方向に沿ってスライドするよう、前記表示装置を規制するように構成されていることを特徴とする請求項３記載の表示装置。
【請求項５】
前記表示装置と前記収容ケースの前記ガイド構造部は、
前記表示装置が前記収容ケースに掛け止め式に取り付けられるときに、取り付け位置を越えた前記表示装置の軸方向運動を停止させる制動部を形成するように、さらに相補的な形状にされていることを特徴とする請求項３または４記載の表示装置。
【請求項６】
前記ガイド構造部のそれぞれは、トラック・レール構造体を含んでおり、
前記収容ケースおよび前記表示装置の上の前記トラック・レール構造体は、相補的な形状であることを特徴とする請求項３から５のいずれかに記載の表示装置。
【請求項７】
一つの前記トラック・レール構造体の前記トラックは、テーパ加工されたトラック端部を形成するよう、その閉端部がテーパ加工されており、
別の前記トラック・レール構造体の前記レールは、テーパ加工されたレール端部を形成するよう、その開端部がテーパ加工されており、
テーパ加工された前記トラック端部とテーパ加工された前記レール端部は協調して前記ヒンジ軸を形成していることを特徴とする請求項６記載の表示装置。
【請求項８】
前記テーパ加工されたレール端部は、ブレード状のエッジの形状であり、
前記テーパ加工されたトラック端部は、前記テーパ加工されたレール端部を受領して、受領したときにブレード状のエッジのヒンジを形成するように対応した形状であることを特徴とする請求項７記載の表示装置。
【請求項９】
前記テーパ加工されたトラック端部の基部側の前記表示装置の前記トラックの部分は前記収容ケース側に湾曲しており、前記テーパ加工されたレール端部の基部側の前記レールの対応する部分も対応して湾曲していることを特徴とする請求項７または８記載の表示装置。
【請求項１０】
前記表示装置の可動端部は、前記収容ケースの一部分により上昇され、
前記テーパ加工されたトラック端部の基部側の前記表示装置の前記トラックの前記部分の湾曲、および/または前記テーパ加工されたレール端部の湾曲は、前記表示装置の可動端部の上昇によって、
前記表示装置の傾斜又は勾配を相殺するか、または実質的に相殺することを特徴とする請求項９記載の表示装置。
【請求項１１】
前記テーパ加工されたトラック端部の基部側の前記表示装置の前記トラックの部分の湾曲は、枢動動作の間、前記収容ケースに対する前記表示装置の最大枢動幅に対応することを特徴とする請求項９または１０記載の表示装置。
【請求項１２】
一つの前記トラック・レール構造物と、別の前記トラック・レール構造物とが前記表示装置または前記収容ケースのいずれかに形成されていることを特徴とする請求項７または８記載の表示装置。
【請求項１３】
一つの前記トラック・レール構造物は、前記表示装置に形成され、二つのトラックとレールの組を含んでおり、
前記表示装置のトラックとレールのそれぞれの組は、前記表示装置の外側面に形成され、前記収容ケースの前記別のトラック・レール構造物は二つのトラックとレールの組を含んでおり、
前記収容ケースの前記トラックとレールのそれぞれの組は、前記主装置の前記トラックとレールの二つの組を着脱式に受領するため、前記収容ケースの内側側部に形成されていること特徴とする請求項６から１２のいずれかに記載の表示装置。
【請求項１４】
前記表示装置は、ヒンジ端部と可動端部とを含んでおり、
該可動端部は前記表示装置のヒンジ端部のヒンジ軸周囲で枢動可能であり、
前記ヒンジ軸周囲で前記表示装置の前記可動端部を枢動させる前記収容ケース上方に、前記表示装置の前記可動端部を上昇させるよう、前記スイッチが配置されていることを特徴とする請求項１から１３のいずれかに記載の表示装置。
【請求項１５】
前記スイッチは、作動軸を有する押し込み式ボタンであり、
該作動軸はスイッチ状態を変化させるように延伸状態と収縮状態との間で可動であり、かつ、延伸状態に戻るようにバネにより付勢されており、
前記表示装置の前記可動端部は、前記作動軸によって前記収容ケース上方に上昇されることを特徴とする請求項１４記載の表示装置。
【請求項１６】
前記スイッチは、前記作動軸が作動したときに表示モードまたは操作モードを変化させるよう、スイッチ信号を前記プロセッサに送信するように構成されていることを特徴とする請求項１５記載の表示装置。
【請求項１７】
前記スイッチは前記表示装置に取り付けられており、
前記作動軸は前記収容ケース側に突き出ていることを特徴とする請求項１４から１６のいずれかに記載の表示装置。
【請求項１８】
前記作動軸を囲む凹部が前記表示装置の底に形成されており、
相補的な形状の突起部が前記収容ケースの対応する場所に形成されており、
前記突起部は、前記作動軸との接触を介して、前記収容ケースの床の上方に前記表示装置の前記可動端部を上昇させるように構成されており、
前記凹部は前記収容ケースの前記床側に前記表示装置を枢動させるように提供されていることを特徴とする請求項１７記載の表示装置。
【請求項１９】
前記スイッチは前記収容ケースの上に取り付けられており、前記作動軸は前記主装置側に突き出ていることを特徴とする請求項１４から１６のいずれかに記載の表示装置。
【請求項２０】
前記表示装置は、その上に前記プロセッサと前記表示スクリーンが取り付けられる主ハウジングを含んでおり、
前記収容ケースは、床、及び該床から延びる直立した周囲壁とを含んでおり、
前記表示装置と前記収容ケースは、所定の閾値を超える軸方向への取り外す力がかかるまで、相対的な軸方向の取り外し動作に対抗して、協調的に掛止されることを特徴とする請求項１から１９のいずれかに記載の表示装置。
【請求項２１】
前記主ハウジングは、前記表示装置を囲むプラスチック製のフレームを含んでおり、
該プラスチック製のフレームのフットプリントは前記直立した周囲壁と重なり合うか、実質的に重なり合うことを特徴とする請求項２０記載の表示装置。
【請求項２２】
前記表示装置は自転車用コンピュータであることを特徴とする請求項１から２１のいずれかに記載の表示装置。
【請求項２３】
前記収容ケースは該収容ケースを前記自転車に固定するための固定構造体を含んでいることを特徴とする請求項２２記載の自転車用コンピュータ。
【発明の詳細な説明】
【技術分野】
【０００１】
本発明はパフォーマンス表示装置に関する。特に、スポーツ用コンピュータ、さらに詳細には、本発明は自転車用コンピュータに関するが、これに限らない。
【背景技術】
【０００２】
スポーツ用コンピュータなどのパフォーマンス表示装置はユーザへのその後の表示とフィードバックのためにスポーツデータを手得して処理するのに有用である。処理されたデータは、ユーザが過去と現在のパフォーマンスをモニターできるように、その後の計画を考案させ、ユーザの参考のために情報表示スクリーンに表示し、速度、距離、リズムなどのパフォーマンス関連データを提供することに加えて、現在のスポーツ用コンピュータは、安全で健康的な運動の定常性を維持するため、ユーザの身体能力と状態をモニターするため、心拍数モニター、血中酸素レベルセンサ、血圧モニターなどの生理状況モニター手段も含んでいる。
【０００３】
近年、パフォーマンス表示装置（能力表示装置）には通信器具が装着されるようになり、ユーザの補助のために利用可能な情報を提供するよう、周囲および/または環境および/または天候データを処理するように設計されている。
【０００４】
パフォーマンス状況は、高速環境下での屋外で、または高レベルの集中力が必要とされる場合に多用されるが、運動中で、パフォーマンス表示装置を操作しようとしてユーザが気を散らし、コントロールやバランスを失うことがないように、スポーツ用コンピュータの表示モードは容易に操作できることが望ましい。
【０００５】
ＵＳ２００７/０１７０３３８はトグルスイッチ機構を有するスポーツ用コンピュータを開示している。しかしながら、このトグルスイッチ機構は機構的に効率的でなく、トグルスイッチ起動中のユーザへの機械的フィードバックがユーザの利用と快適性のためには十分に分かり易くない。
【先行技術文献】
【特許文献】
【０００６】
【特許文献１】米国特許出願公開第２００７/０１７０３３８公報
【発明の概要】
【発明が解決しようとする課題】
【０００７】
本発明によれば、収容ケースと表示装置とを含んだパフォーマンス表示装置が提供される。
【課題を解決するための手段】
【０００８】
この表示装置は表示スクリーンとプロセッサとを含んでおり、モードスイッチによって操作可能である。このプロセッサはパフォーマンスデータを処理するように構成されており、表示スクリーン上に情報を表示させ、モードスイッチが操作されると表示モードを変化させる。このモードスイッチは表示装置と収容ケースとの間の相対的枢動によって操作される。これら表示装置と収容ケースは、その周囲でモードを変更するように枢動させるヒンジ軸を協調して形成するような相補的な形状である。
【０００９】
その相補的な形状の表示装置と収容ケースとによって形成されている表示装置と収容ケースとの間で枢動作動（ピボット作動の動きを）させるためのヒンジ軸を有するパフォーマンス表示装置は、その軸が表示装置と収容ケースとを結合させる追加の可動部を利用せずに形成されているため、構造が単純で頑強であり、信頼性が高い。
【００１０】
収容ケースと表示装置は、表示装置と収容ケースとの間の相対的な枢動（pivotal motion、ピボット運動）の最大許容幅を制限するための制動部を形成するように相補的な形状であってもよい。スイッチ作動の枢動の幅を制限するための制動部も形成する、そのような相補的な形状を利用すると、より単純で頑強であり信頼性が高いものとするように制動部が装置上に一体的形成できるので有利である。
【００１１】
収容ケースおよび表示装置の上のガイド構造部は相補的な形状でもよく、収容ケースから取り外すとき、または収容ケースと係合させるときに、軸方向に沿ってスライドするように、表示装置を規制するように構成されている。なぜなら、ガイド構造体は向上した簡素性、頑強性および信頼性を備えた装置を一体的に形成できるため、取り付け位置に対して出入りする表示装置と収容ケースとの間の相対的運動をガイドするようにガイド構造体も形成するための相補的な形状のさらなる活用は有利である。
【００１２】
一つのトラック（軌道）・レール構造物のトラックは、テーパされたトラック端部を形成するよう、閉端部でテーパ加工されており、別のトラック・レール構造物のトラックは、テーパ加工されたレール端部を形成するよう、開端部でテーパ加工されており、そのテーパ加工されたトラック端部とテーパ加工されたレール端部は協調してヒンジ軸を形成する。ヒンジ軸は装置上に最小限の可動部品を使用して一体的に形成可能であり、さらに単純で、頑強であり、信頼性を向上させることができるため、表示装置と収容ケースとの間の枢動スイッチを作動させるようにヒンジ軸も形成する相補的な形状のさらなる利用が特に有利である。
【００１３】
テーパ加工された端部はブレード状のエッジ（刃状の縁部、ブレードエッジ）の形状であり、テーパ加工されたトラック端部はテーパ加工されたレール端部を受領して、受領したときにブレード状のエッジ（刃状の縁部、ブレードエッジ）を形成するように対応した形状でよい。ヒンジを形成する中間可動部品が存在しないとき、ブレードエッジ状のヒンジ軸は、その良好な弾力性のため、この利用形態にとって特に有利である。
【００１４】
テーパ加工されたトラック端部の基部側の表示装置上のトラックの部分は収容ケース側に曲がることができ、テーパ加工されたレール端部の基部側のレールの対応する部分も対応して曲がる。この湾曲によって、テーパ加工されたトラック端部は、表示装置の可動端部が上昇して（持ち上げられて）、スイッチがニュートラルであるとき、非常に弱い応力がかけられた状態になる。
【００１５】
表示装置の可動端部は収容ケースの一部分だけ上昇され、テーパ加工されたトラック端部の基部側の表示装置上のトラックの部分の湾曲、および/またはテーパ加工されたレール端部の湾曲は、表示装置の可動端部の上昇によって、表示装置の傾斜又は勾配（斜面、傾斜角）を相殺する（平衡にする）か、または実質的に相殺する。この構造は、枢動動作中に、収容ケースの床に対して表示スクリーンの高さを合わせる。
【００１６】
テーパ加工されたトラック端部の基部側の表示装置上のトラックの部分の湾曲は、枢動動作の間、収容ケースに対する表示装置の最大枢動幅に対応するであろう。
【００１７】
表示装置はヒンジ端部と可動端部とを含んでおり、その可動端部は表示装置のヒンジ端部にてヒンジ軸周囲で枢動可能であり、表示装置の可動端部をヒンジ軸周囲で枢動させるよう、スイッチが表示装置の可動端部を収容ケースの上方に上昇させるように配置されている。
【００１８】
このスイッチは、作動軸を有するプッシュボタン式スイッチでよく、この作動軸は、スイッチ状況を変化させるように延びた状態と引っ込んだ状態との間で可動であり、延びた状態（突出した状態）に戻るようバネの付勢力を受けており、表示装置の可動端部は作動軸によって収容ケースの上方に上昇される。
【００１９】
作動軸を囲む凹部を表示装置の底部に形成することができ、相補的な形状の突起部が収容ケースの上の対応する位置に形成され、突起部は、表示装置の可動端部を、作動軸との接触により収容ケースの床の上方に上昇させるように構成されており、凹部は収容ケースの床側へ表示装置の枢動させるように提供されている。
【００２０】
本発明の実施例を添付の図面の非限定的実施例を利用して説明する。
【図面の簡単な説明】
【００２１】
【図１】本発明によるパフォーマンスモニター装置の第１実施例を示した自転車用コンピュータの上方斜視図である。
【図２】図１の自転車用コンピュータの底部斜視図である。
【図３】図１の自転車用コンピュータの正面図である。
【図４】図１の自転車用コンピュータの側面図である。
【図５】プロセッサモジュールが取り付け基部から取り外されたときの、図１の自転車用コンピュータの上部斜視図である。
【図５Ａ】プロセッサモジュールが取り付け基部から取り外されたときの、図１の自転車用コンピュータの底部斜視図である。
【図６】図１の自転車用コンピュータのプロセッサモジュールの側面図である。
【図７】図４の線Ａ‐Ａに沿った、取り付け基部の長手方向の断面図である。
【図８】図３の線Ｂ‐Ｂに沿った、自転車用コンピュータの長手方向の断面図である。
【図９】図１の自転車用コンピュータのプロセッサモジュールの底面図である。
【図１０】収容ケースの入口端部から見た、図１の自転車用コンピュータの取り付けベース（基部）の上方斜視図である。
【図１１】図１に対応する図であるが、自転車用コンピュータの第２実施例のものである。
【図１２】図２に対応する図であるが、自転車用コンピュータの第２実施例のものである。
【図１３】図３に対応する図であるが、自転車用コンピュータの第２実施例のものである。
【図１４】図４に対応する図であるが、自転車用コンピュータの第２実施例のものである。
【図１５】図５に対応する図であるが、自転車用コンピュータの第２実施例のものである。
【図１５Ａ】図５Aに対応する図であるが、自転車用コンピュータの第２実施例のものである。
【図１６】図６に対応する図であるが、自転車用コンピュータの第２実施例のものである。
【図１７】図７に対応する図であるが、自転車用コンピュータの第２実施例のものである。
【図１８】図８に対応する図であるが、自転車用コンピュータの第２実施例のものである。
【図１９】図９に対応する図であるが、自転車用コンピュータの第２実施例のものである。
【図２０】図１０に対応する図であるが、自転車用コンピュータの第２実施例のものである。
【図２１】図１から図２０のスポーツ用コンピュータの基本形態の実施例を示す概略的ブロック図である。
【図２２】図１から図２０のスポーツ用コンピュータの別形態の実施例を示す概略的ブロック図である。
【図２３】図１から図２０の自転車用コンピュータの利用状態を示す図である。
【符号の説明】
【００２２】
１００  ２００  自転車用コンピュータ
１１０  ２１０  プロセッサモジュール
１１２  ２１２  主ハウジング
１１４  ２１４  液晶ディスプレー（ＬＣＤ）スクリーン
１１６  ２１６  マイクロコントローラ
１１８  ２１８  作動スイッチ
１２０  ２２０  透明スクリーン
１２２  ２２２  爪部
１２４  ２２４  電池コンパートメント
１２８  ２２８  凹部
１３０  ２３０  周囲部分
１３２  ２３２  上方周囲部分
１３４  ２３４  下方周囲部分
１３６  ２３６  トラック（軌道）
１３８  ２３８  上方レール
１４０  ２４０  下方レール
１５２  ２５２  接触スイッチ
１５４  ２５４  データ入力
１６０  ２６０  取り付け基部
１６２  ２６２  床
１６４  ２６４  周囲壁部
１６６  ２６６  進入開口部
１６８  ２６８  突出部
１７６  ２７６  トラック（軌道）
１７８  ２７８  上方レール
１８０  ２８０  操作タブ
１８２  ２８２  掛留構造物
４０２          速度センサ
４０４          リズムセンサ
【発明を実施するための形態】
【００２３】
パフォーマンス表示装置の第１実施例としての図１から図１０の自転車用コンピュータ１００は、表示装置の一例としてのプロセッサモジュール１１０と、収容ケースの一例としての取り付け基部１６０とを含んでいる。プロセッサモジュール１１０の長手方向の端部（可動端部）がプロセッサモジュール１１０の別の長手方向の端部（ヒンジ状端部）の周囲で枢動可能となるよう、また、枢動サイクル（枢動動作の繰り返し）が取り付け基部１６０に対するプロセッサ装置によって表示装置上の情報を変化させるようにプロセッサモジュール１１０は取り付け基部に着脱式に取り付けられ、構成されている。
【００２４】
プロセッサモジュール１１０は、成型プラスチック製の主ハウジング１１２と、液晶表示（ＬＣＤ）スクリーン１１４と、データプロセッサの一例としてのマイクロコントローラ１１６と、周辺回路と、作動スイッチ１１８とを含んでいる。主ハウジングは、上部と、底部と、上部と底部とを相互接続する周辺部とを有した密閉収容器である。主ハウジングの上部は丸角を備えたほぼ長方形のウィンドウに成型され、ハウジング内のＬＣＤディスプレーを上から見ることができるよう、ポリカーボネート製の透明スクリーン１２０が取り付けられている。主ハウジングの底部は、表示装置を適所に掛け止めするために収容ケース上の相補的な形状の凹部と協調するように設計された爪部１２２と、プロセッサモジュールの電子部品に電力を供給するための電池を受領する蓋付き電池コンパートメント（区画）１２４とを含んでおり、作動軸が突き出る開口部を形成しており、開口部周囲の凹部をさらに形成している。蓋付き電池コンパートメントは良好なエネルギー対サイズの比のためにＣＲ２０３２リチウム電池を受領するサイズである。プロセッサモジュール１１０は約４ｃｍ（長さ）×３．５ｃｍ（幅）×１．５ｃｍ（深さ）のミニポケットサイズまたはクッキーサイズである。モード切替スイッチ１１８に加えて、時間設定またはその他の作動モードのための複数のコンタクトスイッチ１５２と、外部のセンサからパフォーマンスデータを受領するための複数のデータ入力部品１５４もプロセッサモジュールの下側に配置されている。
【００２５】
図６に示すように、プロセッサモジュールは部分的に楔形状で、可動端部に向かってテーパ加工されている。さらに詳細には、可動端部でのプロセッサモジュールの深さ（ｄ１）（１．３８ｃｍ）はヒンジ端部での深さ（ｄ２）（１．４６ｃｍ）よりも短い。
【００２６】
中央長手軸（図３の軸Ｂ‐Ｂ）または枢動端部でのハウジングの対称軸には開口部が配置されている。良好な機械的利点、およびメカニカルな作動により提供されるさらに効果的な枢動を達成するため、ハウジングの可動端部上のスイッチ作動軸は主ハウジングのヒンジ端部から最も遠方に配置されている。さらに詳細には、スイッチ作動軸はヒンジ端部から最も遠方のＬＣＤスクリーンの縁部直下に配置されている。
【００２７】
凹部１２８を囲む開口部は、ヒンジ端部から最も離れたハウジングの縁部からヒンジ端部側に延びる凹部として形成されている。プロセッサモジュールが取り付け基部に対する枢動サイクルを実行するとき、凹部１２８は、スイッチの作動軸がプロセッサモジュールの基部を越えて突出しないように構成されているが、画面を変化させるようにメカニカルな相互作用によって収容ケースによって作動が可能である。主ハウジングの縁部と交わる凹部の部分は、取り付け基部上の局所突出部１６８のスライド式の進入のための進入凹部を形成している。
【００２８】
作動軸は、主ハウジングの底側の開口部を通って突出し、作用力が存在しないとき、作動軸がその完全延伸状態または非作動状態に戻るように常に付勢されるよう、バネ作用を受けている。作動軸の自由端は、トグルまたはスイッチ作用を実行するよう、取り付け基部に対して付勢されるように構成されているスチールヘッドなどの丸形の金属ヘッドを含んでいる。作動軸の自由端は凹部の基部から突出しているが、主ハウジングの底部を越えて突出していない。
【００２９】
この凹部と作動軸構造体が、対応形状の局所的に突き出た突出部１６８またはプラットフォームを有する取り付け基部と協調するとき、プロセッサモジュールの可動端部は取り付け基部１６０の床の上方に上昇され、その上昇距離はスイッチのために作動変位を提供するのに十分なものである。他方、この構造は、プロセッサモジュールが取り付け基部から取り外されたとき、高さが合わされている表面上に設置されることを意味する。
【００３０】
主ハウジングの周囲部１３０は、主ハウジングのウィンドウを形成する上方周囲部１３２と、プロセッサ装置の底面とバッテリコンパートメントを形成する下方周囲部１３４とを含んでいる。周囲フランジまたはショルダー部（肩部）が上部の底面の下側に形成されて下方周辺部を囲むよう、下部は上部から横方向に引っ込んでいる。
【００３１】
プロセッサ装置の下方周囲部１３４は、取り付け基部上へ着脱式に取り付けられて、取り付け基部に対するプロセッサモジュールの枢動を実行させるように設計されている。プロセッサモジュールと取り付け基部との間で着脱式に取り付けるため、プロセッサモジュールの下方周辺部の二つの外側の側部にガイド手段が提供されている。このガイド手段は、取り付け基部上に形成された協調ガイド手段に沿った軸方向運動によって、プロセッサモジュールが取り付け基部にスライド式に進入して係合したり、スライド式に外出して係合を外したりするように構成されている。スライド式の係合とスライド式に係合を外すことを実行させるよう、両方の側部はその軸方向に対して平行である。
【００３２】
図５と図６でさらに詳細に示すように、プロセッサモジュール上のそれぞれのガイド手段はトラック・レール構造体を含んでいる。トラック（軌道）１３６は上方レール１３８と下方レール１４０との間に形成された溝である。トラックは、上方レール１３８と下方１４０レールが、ブレードエッジの支点を受領するための狭い開口部を形成するように合体するまで実質的に下方周囲部の全長にわたって延びている。トラック１３６は開口部と閉口部を形成する開口端部を含んでいる。開口端部は、後述するように、取り付け基部へプロセッサモジュールがガイドされてスライド式に進入するように設計されており、開端部での下方レール１４０は、後述するように、収容ケースに対するプロセッサモジュールの最大許容枢動幅を制限するように設計されている。
【００３３】
トラック１３６は閉端部に向かってテーパ加工されており、閉端部の基部側のトラック部は収容ケース側に曲がっている。言い換えれば、テーパ加工された閉端部の基部側のトラック１３６の部分は曲がっているか、または開端部の基部側のトラック部分に対して上昇角度にある。閉端部の基部側のトラック部分の傾斜した上昇は、ヒンジ軸の端部を形成するよう、取り付け基部の上の相補的な形状のレール端部と協調するように設計されている。
【００３４】
下方レール１４０はトラックの開端部から閉端部に向かって横断するときに上方に傾斜する。言い換えれば、下方レール１４０は、プロセッサモジュールの可動端部からヒンジ端部に向かって横断するときに上方に傾斜する。表示スクリーンが取り付けベース１６０の床１６２とほぼ同じ高さで平行になるよう、下方レール１４０の総合的な上昇の程度は、上昇する突起部１６８によって発生する上昇程度と実質的に同じとなることは重要なことである。表示スクリーンの高さ合わせは、プロセッサモジュールの長手方向端部での異なる深さを補償する突出部１６８によるプロセッサのくさび形端部の上昇によって実行される。
【００３５】
取り付け基部１６０は、プロセッサモジュールを着脱式に受領するためのケースと、支持部上の装置を係留するためのケースの下の係留構造物１８２とを含んでいる。ケースは、水平な床１６２と、プロセッサモジュールを進入させるよう、床の前方部分に進入開口部１６６を残して、床を囲んでいる直立する周囲壁１６４とを含んでいる。図５、７および１０にて詳細に示すように、周囲壁は第1および第２の横方向壁部と、それら第１と第２の横方向壁部とを結合する後方壁部とを含んでいる。第１と第２の横方向壁部は平行で離れており、プロセッサモジュールの下方周囲部１３４を密着的に受領するように構成されている。第１と第２の横方向壁部はそれぞれケースに進入し、取付け位置に到達するよう、プロセッサモジュールをガイドするためのガイド手段を含んでいる。
【００３６】
プロセッサモジュールのものと同様に、第１と第２の横方向壁部のそれぞれのガイド手段は、トラック・レール構造体を含んでいる。トラック１７６は上方レール１７８と床１６２との間に形成された溝である。トラックはケースの全長にわたって実質的に延びている。トラック１７６は開端開口部を形成する開端部と、後壁の基部側の閉端部とを含んでいる。トラックの開端部は、後述するように、プロセッサモジュールを取り付け基部へスライド進入させるようにガイドする。さらに詳細には、第１と第２の横方向壁部は、プロセッサモジュールの下方レールを受領またはそれと協調するように設計されており、第１と第２の横方向壁部の上方レール１７８は、プロセッサモジュールのトラック１３６と協調するように設計されている。プロセッサモジュールのトラック・レールと取り付け装置との間の協調係合は、これら二つのモジュラー部材間の非軸的移動に対する有用なインターロック（連結装置）を提供し、後述するような効率的な支点構造体を形成する。
【００３７】
進入開口部１６６から最も離れた上方レール１７８の端部は、収容ケースの床に対するプロセッサモジュールの最大許容枢動幅を制限するよう、プロセッサモジュールの下方レール１４０と協調するように設計されている。
【００３８】
上方レール１７８はトラック１３６のテーパ状端部と協調するとき、ブレードエッジ状の支点を形成するよう、進入開口部に向かって徐々にテーパ加工されている。トラック１３０と同様に、進入開口部１６６の基部側のレール１７８の部分は曲がっており、その湾曲は床１６２に向いている。
【００３９】
プロセッサモジュールの凹部１２８の形状と相補的な局所突出部１６８が、進入開口部１６６から離れた床の長手方向端部に形成されている。局所突出部１６８は、枢動を実行させるよう、プロセッサモジュールの可動端部を床上方に上昇し、スイッチ１１８の作動シャフトと常に接触するように設計されている。プロセッサモジュールの可動端部が床１６２側に旋回したとき、突出部１６８が凹部１２８内に受領され、相対的な枢動を妨害しないよう、突出部１６８と凹部１２８は相補的な形状である。床の上方の突出部１６８の高さは、プロセッサモジュールと収容ケースとの間の相対的枢動の最大許容幅を決定する。
【００４０】
表示装置のケース基部からの予期しない滑り落ちを防止するため、表示装置上の掛止爪部１２２のそれに対応する場所に掛止凹部が形成されている。掛止凹部は指操作式タブ１８０と床との間に形成されており、掛止は例えば、タブ１８０を表示装置の可動端部に向けて押して、指操作式タブ１８０を操作することで解除できる。
【００４１】
取り付け基部へプロセッサモジュールを着脱式に取り付けるには、表示装置は協調ガイド手段によって、収容ケースにスライド式に進入させるか、またはスライド式に外出させる。
【００４２】
協調ガイド手段に沿った収容ケース１６０に対する相対的な軸方向へのスライド運動後に、表示装置１１０が図１の取り付け位置に移動し、掛止爪部によって形成された対応する掛止手段と、対応する凹部とよって掛止されると、収容ケースの上方レール１７８の湾曲したテーパ形状のレール端部は表示装置１１０上のトラック１３６の対応した湾曲したテーパ形状の閉端部によって受領される。
【００４３】
上方レール１７８のテーパ形状のレール端部とトラック１３６のテーパ形状の閉端部との係合は、ブレードエッジのヒンジ軸を共同で形成する。さらに、可動端部が完全に上昇したとき、休止状態または非作動状態中にヒンジ軸への応力が最小になるよう、テーパ加工されたトラック部分の湾曲方向は、表示装置のヒンジ式端部に対する可動端部の上昇方向と整合している。
【００４４】
使用の際には、パフォーマンス表示装置は支持面上に取り付けられ、スイッチが入れられ、所望の操作モードにセットされる。表示のモードは、ユーザが表示ユニット１１０を収容ケースの床側に押すとトグル操作され、作動軸が押し込まれて、表示モード変更スイッチが作動される。作動が解除されると、作動軸に付勢されたバネの力で、作動軸を完全に延伸した状態に戻し、次の作動待機状態になる。
【００４５】
上述の実施例の改良バージョンでは、装置は、作動スイッチが収容ケース上に取り付けられており、表示装置側に上方に突出していることを以外は、図１から図１０のものと実質的に同様であり、局部突出部は表示装置の底に形成可能であり、開口部を囲む対応する形状の作動軸を収容ケースの床に形成できる。
【００４６】
図１１から図２０は、作動スイッチ２１８が収容ケース上に取り付けられており、表示装置の上方に突き出ており、図から明らかなその他の変更以外は、図１から図１０のものと実質的に同様であるパフォーマンス表示装置２００の第２実施例を示している。装置２００の部材とそれらの相互関係は、図１から図１０のものと実質的に同様であるため、図１から図１０の部材の説明とそれらの相互関係は普遍性を失うことなく、それら部材の番号に１００を足した部材番号によって表わし説明されている。
【００４７】
図１１から図２０で示すように、全体として実質的に均一なトラック幅（軌道幅）であるトラック２３６は表示装置の下方周囲部分に形成されており、対応形状のレール２７８は収容ケース上の横方向周囲壁上に形成されている。爪部または丸形状のスタブヘッド２２２は、丸い縁部の旋回軸（pivotal axis、ピボット軸）を形成するよう、表示装置のヒンジ縁部に形成されている。この丸形状のスタッドは、枢動を実行させるため、表示装置のヒンジ端部を収容ケースの床の上方に上昇させる。スイッチ２１８の作動軸は収容ケースの床から突出しており、作動軸と協調するよう、表示装置２１０の底には対応する形状の凹部が存在している。表示装置は、丸形状のヘッドスタッド２２２と作動軸の両方によって上昇されるので、表示装置の可動端部の押し込みは作動軸を押し込ませ、スイッチ２１８を操作する。また、丸形状のスタッドと作動軸は収容ケースの中心上で長手方向軸に沿って配置されている。
【００４８】
図２１と図２２は、自転車用コンピュータの概略的ブロック図である。マイクロプロセッサ（マイクロコントローラ、または単にプロセッサとしても知られる）は主ハウジング内に収容されており、速度、リズム、距離、血液などの望むパフォーマンスデータ、風速、空気圧、相対的湿度、方向、傾斜、位置データまたはＧＰＳデータなどの身体的データ、またはＥＣＧ信号、血圧、血糖値、血中酸素レベル、体温などの生理学的データを得るため、多様なセンサまたはモニターに接続されている。プロセッサは、スポーツ用コンピュータと外部装置との間のデータ通信のため、通信インターフェースにも接続できる。データ通信は、ブルーツース(Bluetooth（登録商標）)またはその他の公共データ通信システムなどの有線または無線手段でよい。プロセッサはスイッチ１１８の例としてのトグルスイッチに接続されており、プロセッサの表示モードおよび/または操作モードは説明したような相対的枢動を介してトグルスイッチの操作によってトグル操作できる。
【００４９】
自転車用コンピュータの例示的操作について図２３を利用して説明する。自転車用コンピュータ１００、２００は、自転車の前方部分に、マイクロプロセッサを速度センサ４０２とリズムセンサ４０４に接続する無線通信手段と共に取り付けられている。自転車用コンピュータはユーザの前方に、ユーザに面した情報表示スクリーンと共に取り付けられている。ユーザが表示スクリーンをトグル操作するとき、ユーザが主装置の下方長手方向端部を押し込むと、特に縁部支点周囲である枢動ヒンジの周囲での主装置の枢動が促される。この枢動の結果、作動装置は押し込まれ、トグルスイッチが作動される。そのようなトグルスイッチの作動で制御信号をプロセッサに送信され、表示フォーマットと情報が設定ルールに従って変更される。
【００５０】
本発明を、一例として自転車用コンピュータと関連させて説明したが、当業者であれば、この実施例は非制限的であり、同じ、および類似の構造が、一般性を失うことなく、その他のスポーツ用コンピュータにも適用できることを理解するであろう。例えば、主装置は着脱式に取り付けられているが、主装置と取り付け基部は着脱式でなくともよい。さらに、ここで説明した自転車用コンピュータは２．３ｃｍ×２．５ｃｍ（幅×長さ）以下のスクリーンの表示領域と、３．４ｃｍ×４ｃｍ（幅×長さ）以下の主ハウジングとを備えた小型のクッキーサイズの自転車用コンピュータであるが、その構造は一般性を失うことなく、その他の寸法のスポーツ用コンピュータまたはパフォーマンス表示装置に適用することができる。
【図１】
0005845197.tif 000002
【図２】
0005845197.tif 000003
【図３】
0005845197.tif 000004
【図４】
0005845197.tif 000005
【図５】
0005845197.tif 000006
【図５Ａ】
0005845197.tif 000007
【図６】
0005845197.tif 000008
【図７】
0005845197.tif 000009
【図８】
0005845197.tif 000010
【図９】
0005845197.tif 000011
【図１０】
0005845197.tif 000012
【図１１】
0005845197.tif 000013
【図１２】
0005845197.tif 000014
【図１３】
0005845197.tif 000015
【図１４】
0005845197.tif 000016
【図１５】
0005845197.tif 000017
【図１５Ａ】
0005845197.tif 000018
【図１６】
0005845197.tif 000019
【図１７】
0005845197.tif 000020
【図１８】
0005845197.tif 000021
【図１９】
0005845197.tif 000022
【図２０】
0005845197.tif 000023
【図２１】
0005845197.tif 000024
【図２２】
0005845197.tif 000025
【図２３】
0005845197.tif 000026